(57)【要約】【課題】ペットの尻尾に損傷が生じないようにしたり、あるいは尻尾に生じてしまった損傷部に直接ものが触れることのないように尻尾を確実に保護する尻尾カバーを提供する。【解決手段】ペット１２の尻尾１４の一部あるいは全部を包覆する筒状体１６と、筒状体１６をペット１２に装着するための装着手段とを備えた。装着手段として、筒状体１６の一端部又は両端部に、径方向に締め付けるゴム紐１８を配設し、あるいは、筒状体１６の一端部に、ペットの胴体の一部に着脱自在に巻き付けられるバンド２０を連結し、あるいは、筒状体の一端部に取付紐を連結してこの取付紐を、ペット１２の前足の付け根に巻き付けられるゴム輪２４に連結したものを使用する。【選択図】図１
0003126475.tif 000002
【実用新案登録請求の範囲】
【請求項１】
ペットの尻尾の一部あるいは全部を包覆する筒状体と、
前記筒状体を前記ペットに装着するための装着手段とを備えたことを特徴とする尻尾カバー。
【請求項２】
請求項１に記載の尻尾カバーにおいて、
前記装着手段として、前記筒状体の一端部に、径方向に締め付けるゴム紐を配設したことを特徴とする尻尾カバー。
【請求項３】
請求項１に記載の尻尾カバーにおいて、
前記装着手段として、前記筒状体の両端部に、径方向に締め付けるゴム紐を配設したことを特徴とする尻尾カバー。
【請求項４】
請求項１に記載の尻尾カバーにおいて、
前記装着手段として、前記筒状体の一端部に、ペットの胴体の一部に着脱自在に巻き付けられるバンドを連結したことを特徴とする尻尾カバー。
【請求項５】
請求項１に記載の尻尾カバーにおいて、
前記装着手段として、前記筒状体の一端部に取付紐を連結し、この取付紐を、ペットの前足の付け根に巻き付けられるゴム輪に連結したことを特徴とする尻尾カバー。
【請求項６】
請求項１に記載の尻尾カバーにおいて、
前記装着手段として、前記筒状体の一端部に、前記ペットの胴体の一部又は全部を覆うペット服を連結部材を介して着脱自在に連結したことを特徴とする尻尾カバー。
【請求項７】
請求項６に記載の尻尾カバーにおいて、
前記筒状体と前記ペット服とは一体となっていることを特徴とする尻尾カバー。
【請求項８】
請求項１ないし７のいずれかに記載の尻尾カバーにおいて、
前記筒状体に、その長さ方向に沿って開閉自在な合わせ目が設けられ、前記合わせ目を係止する留め具を設けたことを特徴とする尻尾カバー。
【考案の詳細な説明】
【技術分野】
【０００１】
本考案は、猫、犬等のペットの尻尾を保護するのに好適な尻尾カバーに関する。
【背景技術】
【０００２】
従来から、犬猫等のペット用としては、例えば、次のような衣服がある。この衣服は、ペットの歩行にともなう肩と腰と後足の動きに応じて前脇下より体全体を密着させるとともに四肢の歩行に支障を与えないようにしようとするもので、首から前足脇部は必要に応じて腹部より胸部の長さの調整を可能とし、首廻りについても弧状縁とすることで曲面に応じた形状となり、ペットの前足脇部から胴部、腰部にかけての部分を筒状としたものに後足部を組み合わせ尾の付け根部分に楕円状の開口を設け、後足部を包み通して設けたものである（特許文献１参照）。
【０００３】
このようなペット用衣服は、ペットの首元から胸部を通して下腹部全体を覆う前身ごろと首周りの曲面に合わせて弧状縁とした前縁と背部に開閉口を設けることにより、後足を包み込むように後足を挿入することができ、尾の付け根部分に開口を設けることで汚物による汚損の心配もなく歩行する際のスムーズな動きを可能としたものである。
【特許文献１】特開２００４−５７０７２号公報
【考案の開示】
【考案が解決しようとする課題】
【０００４】
しかしながら、このような従来のペット用衣服は、尻尾が剥き出しであるために、尻尾を保護することができなかったり、尻尾に何らかの損傷が生じてもその損傷部に対してはなんらの対策も講じられていない。このため、尻尾の傷口に包帯をしても、ペットが自らの尻尾に噛み付いて包帯を取ってしまったり、傷口をなめて損傷部を広げたり、あるいは損傷部にものが直接触れて損傷箇所を酷くするおそれがあった。
【０００５】
なお、手術、皮膚病、怪我などによる外傷を持ったペットが、傷口をなめることで悪化させることを防ぐ為の、エリザベスカラーと称する半円錐形状の保護具がある。この保護具は、プラスチックでできており、ペットの首の周りに、トカゲの襟巻きのように装着して使用されるが、視界がきわめて狭くなって足元が見え難く、ペットが家具や物にぶつかって正常に歩けなくなったり、所定場所でのトイレや食事がし難いため、ペットや飼主に嫌われることが多い。
【０００６】
本考案は以上の点に着目してなされたもので、ペットの尻尾に損傷が生じないようにしたり、あるいは尻尾に生じてしまった損傷部に直接ものが触れることのないように尻尾を確実に保護する尻尾カバーを提供することを目的とする。
【課題を解決するための手段】
【０００７】
本考案の各実施例においては、それぞれ次のような構成により上記の課題を解決する。
〈構成１〉
ペットの尻尾の一部あるいは全部を包覆する筒状体と、上記筒状体を上記ペットに装着するための装着手段とを備えたことを特徴とする尻尾カバー。
【０００８】
ペットの尻尾の一部あるいは全部を包覆して尻尾の損傷部に直接触れないようにすることができる。
【０００９】
〈構成２〉
構成１に記載の尻尾カバーにおいて、上記装着手段として、上記筒状体の一端部に、径方向に締め付けるゴム紐を配設したことを特徴とする尻尾カバー。
【００１０】
ゴム紐を尻尾の付け根を適宜締め付けるように使用することにより、筒状体がずれて外れることを防止する。
【００１１】
〈構成３〉
構成１に記載の尻尾カバーにおいて、上記装着手段として、上記筒状体の両端部に、径方向に締め付けるゴム紐を配設したことを特徴とする尻尾カバー。
【００１２】
ずれて外れることを防止すると共に、尻尾の先端側からめくり上がりを防止し、尻尾にしっかり固定できる。
【００１３】
〈構成４〉
構成１に記載の尻尾カバーにおいて、上記装着手段として、上記筒状体の一端部に、ペットの胴体の一部に着脱自在に巻き付けられるバンドを連結したことを特徴とする尻尾カバー。
【００１４】
ペットの胴部に対する接触部分が少ないので、装着することをペットが嫌がらない。
【００１５】
〈構成５〉
構成１に記載の尻尾カバーにおいて、上記装着手段として、上記筒状体の一端部に取付紐を連結し、この取付紐を、ペットの前足の付け根に巻き付けられるゴム輪に連結したことを特徴とする尻尾カバー。
【００１６】
ペットの胴部に対する接触部分が少なく、取付も簡単である。
【００１７】
〈構成６〉
構成１に記載の尻尾カバーにおいて、上記装着手段として、上記筒状体の一端部に、上記ペットの胴体の一部又は全部を覆うペット服を連結部材を介して着脱自在に連結したことを特徴とする尻尾カバー。
【００１８】
筒状体は必要なときにペット服に装着して使用できる。
【００１９】
〈構成７〉
構成６に記載の尻尾カバーにおいて、上記筒状体と上記ペット服とは一体となっていることを特徴とする尻尾カバー。
【００２０】
ペットに簡単に装着できる。
【００２１】
〈構成８〉
構成１ないし７のいずれかに記載の尻尾カバーにおいて、上記筒状体に、その長さ方向に沿って開閉自在な合わせ目が設けられ、上記合わせ目を係止する留め具を設けたことを特徴とする尻尾カバー。
【００２２】
留め具を外すことにより、合わせ目を広げて平面的に展開でき、洗濯や手入れがし易い。
【考案を実施するための最良の形態】
【００２３】
以下、本考案の実施の形態を実施例ごとに詳細に説明する。
【実施例１】
【００２４】
図１は、実施例１の尻尾カバーを示す説明図である。
図１において、尻尾カバーは、ペット１２の尻尾１４の一部あるいは全部を包覆する筒状体１６と、筒状体１６をペット１２に装着するための装着手段とを備えている。
筒状体１６は、布地、ゴム、プラスチック、紙等の材料により形成されている。この材料としては、尻尾の損傷等の状況に応じてペットの地肌に対して柔軟な材質、あるいはペットが噛み合っても容易に変形しない材質等が適宜用いられる。なるべく付着感が少ないように軽量であることが好ましい。また、ペット１２の尻尾１４の一部あるいは全部を包覆して尻尾１４の損傷部に直接触れない寸法あるいは大きさとされる。
【００２５】
筒状体１６をペット１２に装着するための装着手段としては、以下のものがある。
先ず、図１に示すように、筒状体１６の一端部のみ、あるいは両端部に、径方向に締め付けるゴム紐１８を配設する。尻尾１４の付け根側に設けられるゴム紐１８は、簡単に尻尾から外れない程度の締め付け力を有している。尻尾１４の先端側に設けられるゴム紐１８は、尻尾１４の先端側からめくり上がらない程度の締め付け力を有している。
【００２６】
筒状体１６は、図２に示すように、一端が開口し、他端が閉塞しているものでもよい。開口端にはゴム紐１８が設けられている。また、筒状体１６は尻尾１４の長さに応じた大きさに形成され、例えば、尻尾の短いペットに対しては図示のように巾着タイプに形成される。
【実施例２】
【００２７】
図３は、実施例２の尻尾カバーを示す説明図である。
この実施例では、図３に示すように、装着手段として、筒状体１６の一端部に、ペット１２の胴体の一部に着脱自在に巻き付けられるバンド２０を連結している。バンド２０を使用することによって、ペット１２の胴部に対する接触部分が少ないので、装着することをペット１２が嫌がらない利点がある。図４ないし図６に各種バンドの具体例の展開図を示している。これらのバンドの符号を、それぞれ２０Ａ、２０Ｂ、２０Ｃとした。
【００２８】
図４に示すバンド２０Ａは、腹巻のような帯状体の中央部に、ほぼ台形の形状をした中間部材１５を介して筒状体１６を一体に連結したもので、両端部に、互いに重ね合わせて留める、面ファスナー２１がそれぞれ設けられている。このバンド２０Ａは図３に示すようにペット１２の腹部に着脱自在に巻き付けて使用される。
【００２９】
図５に示すバンド２０Ｂは、帯状体の一端部に、中間部材１５を介して筒状体１６を一体に連結したもので、両端部に同様の面ファスナー２１がそれぞれ設けられている。このバンド２０Ｂも図３に示すようにペット１２の腹部に着脱自在に巻き付けて使用される。
【００３０】
図６に示すバンド２０Ｃは、帯状体の中央部に、ほぼ半円形の形状をした中間部材１５と連結部材２８Ａとを介して筒状体１６を連結したものである。バンド２０Ｃの両端部に図４と同様の面ファスナー２１がそれぞれ設けられている。中間部材１５はその一端部が筒状体１６の一端部に一体に連結され、他端部が連結部材２８Ａによりバンド２０Ｃに連結されている。連結部材２８Ａは、バンド２０Ｃ側と筒状体１６側にそれぞれ装着した釦を紐で連結したものであるが、これに限定されるものではない。図示しないが、面ファスナ、両面テープ、ホック、クリップ等の着脱自在な連結手段が使用されてもよい。
【実施例３】
【００３１】
図７は、実施例３の尻尾カバーを示す説明図である。
この実施例では、図示したように、筒状体１６のペット１２への装着手段として、筒状体１６の開口端部に２本の取付紐２２を連結し、これらの取付紐２２を、ペット１２の前足２３の付け根に巻き付けられるゴム輪２４にそれぞれ連結している。取付紐２２とゴム輪２４のみの組み合わせであるから、ペットに対する接触部分が少なく、取付も簡単である。
【実施例４】
【００３２】
図８は、実施例４の尻尾カバーを示す説明図である。
この実施例では、図示したように、筒状体１６のペット１２への装着手段として、筒状体１６の開口端部に、ペット胴体の一部又は全部を覆うペット服２６を、中間部材１５と連結部材２８Ｂとを介して着脱自在に連結したものである。中間部材１５はその一端部が筒状体１６の一端部に一体に連結され、他端部が連結部材２８Ｂによりペット服２６に連結されている。
【００３３】
連結部材２８Ｂとして、ペット服２６の胴回り部分と筒状体１６の一端部とにそれぞれ貼着された面ファスナーが使用されている。連結部材２８Ｂとしては、面ファスナの他に、両面テープ、釦、ホック、クリップ、紐等が使用されてもよい。ペット服２６は、一般のペット用既製服やベストタイプの衣服と胴輪を組み合わせた、所謂ハーネスリード等を含んでいる。筒状体１６は、不要なときは簡単にペット服２６から分離できる。
筒状体１６とペット服２６とはペット１２の尻尾１４の付け根を覆う箇所で一体に連結していてもよい。
【実施例５】
【００３４】
図９は、実施例５の尻尾カバーを示す説明図である。
この実施例は、筒状体１６に、その長さ方向に沿って開閉自在な合わせ目３０が設けられ、この合わせ目３０を、ほぼ全長にわたって係止する留め具を設けたものである。留め具としては、ジッパー、釦、ホック、紐、面ファスナ等が適宜使用される。図９（ａ）には留め具３２Ａとしてジッパーを用いた例を示している。図９（ｂ）には留め具３２Ｂとして釦又はホックを用いた例を示している。留め具３２Ａ又は３２Ｂを外すことにより、合わせ目３０を広げて平面的に展開できる。
【００３５】
図１０及び図１１は、それぞれ尻尾カバーの他の例を示す説明図である。
先に、図１に基づき筒状体１６の端部にゴム紐１８を配設した例につき説明したが、本発明においては図１０及び図１１に示すようにしてもよい。
すなわち、図１０（ａ）に示すように、筒状体１６の一端部にその長さ方向に沿って開閉自在な合わせ目３０を設け、この合わせ目３０の両側にそれぞれ紐３３を取り付ける。図１０（ｂ）に示すように、これらの紐３３を互いに結わえることにより、筒状体１６の一端部における合わせ目３０を閉じて径方向に締め付けることができる。
【００３６】
また、図１１（ａ）に示すように、筒状体１６の一端部にその長さ方向に沿って開閉自在な合わせ目３０を設ける。この合わせ目３０の片側に、面ファスナ３５Ａを貼着する。そして、合わせ目３０の他方側に、面ファスナ３５Ａに重ね合わせて留められる面ファスナ３５Ｂを貼着したテープ３６を配設する。図１１（ｂ）に示すように、これらの面ファスナ３５Ａ、３５Ｂを互いに接合することにより、筒状体１６の一端部における合わせ目３０を閉じて径方向に締め付けることができる。
【図面の簡単な説明】
【００３７】
【図１】実施例１の尻尾カバーを示す説明図である。
【図２】同尻尾カバーの筒状体の他の例を示す説明図である。
【図３】実施例２の尻尾カバーを示す説明図である。
【図４】同尻尾カバーのバンドの例を示す説明図である。
【図５】同尻尾カバーのバンドの他の例を示す説明図である。
【図６】同尻尾カバーのバンドのさらに他の例を示す説明図である。
【図７】実施例３の尻尾カバーを示す説明図である。
【図８】実施例４の尻尾カバーを示す説明図である。
【図９】実施例５の尻尾カバーを示す説明図である。
【図１０】尻尾カバーの他の例を示す説明図である。
【図１１】尻尾カバーのさらに他の例を示す説明図である。
【符号の説明】
【００３８】
１２  ペット
１４  尻尾
１５  中間部材
１６  筒状体
１８  ゴム紐
２０  バンド
２１  面ファスナ
２２  取付紐
２３  前足
２４  ゴム輪
２６  ペット服
２８Ａ、２８Ｂ  連結部材
３０  合わせ目
３２Ａ、３２Ｂ  留め具
【図１】
0003126475.tif 000003
【図２】
0003126475.tif 000004
【図３】
0003126475.tif 000005
【図４】
0003126475.tif 000006
【図５】
0003126475.tif 000007
【図６】
0003126475.tif 000008
【図７】
0003126475.tif 000009
【図８】
0003126475.tif 000010
【図９】
0003126475.tif 000011
【図１０】
0003126475.tif 000012
【図１１】
0003126475.tif 000013